(57)【要約】【課題】表示部に対して前面と背面における視環境を検出するセンサをそれぞれ設けることにより、周囲の環境に適した表示をする表示装置を提供する。【解決手段】表示パラメータに従って表示を行う表示部（１）と、前記表示部（１）の前面に配置され、当該前面における視環境の情報を検出するための第１センサ（２）と、前記表示部（１）の裏面に配置され、当該裏面における視環境の情報を検出するための第２センサ（３）と、前記第１センサ（２）にて検出された情報と前記第２センサ（３）にて検出された情報とに基づいて、前記表示パラメータを補正する補正手段（５）と、を具備する。【選択図】図３
2014202941.tif 000002
【特許請求の範囲】
【請求項１】
表示パラメータに従って表示を行う表示部と、
前記表示部の前面に配置され、当該前面における視環境の情報を検出するための第１センサと、
前記表示部の裏面に配置され、当該裏面における視環境の情報を検出するための第２センサと、
前記第１センサにて検出された情報と前記第２センサにて検出された情報とに基づいて、前記表示パラメータを補正する補正手段と、
を具備することを特徴とする表示装置。
【請求項２】
前記視環境の情報は光の照度に関する情報を含み、
前記補正手段は、前記第１センサにて測定された光の照度と前記第２センサにて測定された光の照度との差に基づいて、前記表示パラメータを補正することを特徴とする請求項１に記載の表示装置。
【請求項３】
前記第１センサにて測定された光の照度と前記第２センサにて測定された光の照度との差に基づいて、前記表示パラメータを補正するための補正量を算出する補正量算出手段をさらに備え、
前記補正手段は、前記補正量算出手段によって算出された補正量に応じて前記表示パラメータを補正することを特徴とする請求項２に記載の表示装置。
【請求項４】
前記補正量算出手段によって算出される補正量は、輝度を補正するための輝度補正量およびコントラストを補正するためのコントラスト補正量を含むことを特徴とする請求項３に記載の表示装置。
【請求項５】
前記補正量算出手段は、前記第１センサにて測定された照度から前記第２センサにて測定された照度を引いた値が第１閾値以下である場合はコントラスト補正量を０とし、前記引いた値が前記第１閾値を超える値である場合は前記第１センサにて測定された照度に応じたコントラスト補正量を算出することを特徴とする請求項４に記載の表示装置。
【請求項６】
前記補正量算出手段は、前記第１センサにて測定された照度から前記第２センサにて測定された照度を引いた値が第１閾値よりも大きい値である第２閾値以上である場合は輝度補正量を０とし、前記引いた値が前記第２閾値未満である場合は前記第２センサにて測定された照度に応じた最低輝度と前記表示部の白輝度とから輝度補正量を算出することを特徴とする請求項４または請求項５に記載の表示装置。
【請求項７】
前記表示部の前面とユーザとの間の距離を検出する第３センサをさらに具備し、
前記第３センサにて検出された距離が第３閾値以下である場合、前記補正手段は前記第１センサにて検出された情報に基づいて、前記表示パラメータを補正することを特徴とする請求項１に記載の表示装置。
【請求項８】
表示装置の表示方法であって、
表示パラメータに従って表示を行う表示部と、
前記表示部の前面に配置され、当該前面における視環境の情報を検出するための第１センサと、
前記表示部の裏面に配置され、当該裏面における視環境の情報を検出するための第２センサと、を用意し、
前記第１センサにて検出された情報と前記第２センサにて検出された情報とに基づいて、前記表示パラメータを補正する補正工程を含むことを特徴とする表示装置の表示方法。
【請求項９】
コンピュータを請求項１から請求項７の何れか１項に記載の表示装置として機能させることを特徴とするコンピュータプログラム。
【発明の詳細な説明】
【技術分野】
【０００１】
本発明は表示装置に関し、特に、センサで検出した視環境の情報に基づいてその表示の明るさなどを補正する表示装置に関する。
【背景技術】
【０００２】
この種の技術として、特許文献１には、ユーザが表示装置を視ているときの視覚に対する環境（以下「視環境」という）の情報を検出する色光センサを備えた表示装置が記載されている。詳しくは、この表示装置では、色光センサによって視環境の色情報を検出し、この情報とユーザが選択したターゲットプロファイルとに基づき、明るさ補正や色補正に用いるルックアップテーブルを補正することが記載されている。これにより、ユーザの好みに応じた色の画像を表示することを可能としている。
【０００３】
また、特許文献２には、周囲の明るさを検出する照度センサを備えた表示装置が記載されている。この表示装置においては、当該照度センサにて検出した視環境の情報とユーザが選択した表示モードとに応じて、バックライトの制御を最適にしている。
【先行技術文献】
【特許文献】
【０００４】
【特許文献１】特開２０１２−７８８３７号公報
【特許文献２】特開２０１１−２４８２１５号公報
【発明の概要】
【発明が解決しようとする課題】
【０００５】
ところで、特許文献１および特許文献２のいずれも、表示装置の表示部がある側の部分や表示部がある側で表示装置とは個別の部分（以下、これらの部分を「前面」という）のみにセンサを備えたものである。このため、特許文献１および特許文献２で行われる表示部の明るさなどの補正は、専ら前面の視環境が反映されたものとなる。
【０００６】
しかしながら、ユーザが表示部を視るときの見え方は、表示装置の前面の視環境ばかりか、表示装置の上記前面と反対側の面の視環境にも影響を受ける。なお、この反対側の面は、表示装置における表示部の裏側の部分やその裏側で表示装置とは個別の部分（以下、これらの部分を「背面」という）として規定されるものである。
【０００７】
例えば、前面の光量が少なく、周囲が暗い場合、ユーザの眼がその暗さに順応し表示装置からの光を眩しく感じるため、表示装置の輝度は抑えることが望ましい。しかし、前面が暗い場合であっても、背面側からユーザのいる方向へ向って強い光が入射してきた場合、ユーザは背面からの光の影響による明るさに順応して、表示装置の輝度を暗く感じることがある。
【０００８】
この場合、上記従来技術のように、前面に配置されたセンサが検出する「暗い」という視環境情報に基づいて表示部の明るさを抑える補正をすると、そのときのユーザの見え方に合った補正とならない場合があり、表示装置に表示される画像がさらに見えにくくなる。
【０００９】
他方、背面のみにセンサを設ける構成を考えると、例えば、表示装置の前面において表示部の輝度よりも強い光が照射され、画面全体が白っぽく認識される場合などにおいて、前面の視環境を把握することができず、コントラストを適切に補正することができない。
【００１０】
本発明は、上記課題に鑑みなされたものである。そして、その目的は、表示部に対して前面と背面における視環境を検出するセンサをそれぞれ設けることにより、周囲の環境に適した表示をする表示装置を提供することにある。
【課題を解決するための手段】
【００１１】
上記課題を解決するために、本発明に係る表示装置は、表示パラメータに従って表示を行う表示部と、前記表示部の前面に配置され、当該前面における視環境の情報を検出するための第１センサと、前記表示部の裏面に配置され、当該裏面における視環境の情報を検出するための第２センサと、前記第１センサにて検出された情報と前記第２センサにて検出された情報とに基づいて、前記表示パラメータを補正する補正手段と、を具備することを特徴とする。
【発明の効果】
【００１２】
上記構成によれば、表示装置の前面および背面の環境に応じた最適な表示をすることができる。
【図面の簡単な説明】
【００１３】
【図１】第１実施形態における表示装置のブロック図である。
【図２】第１実施形態の表示装置の画像表示までの処理の流れを示すフローチャートである。
【図３】第１実施形態の補正量を算出する処理の流れを示すフローチャートである。
【図４】コントラスト補正量を算出する際に使用するテーブルの一例を示す図である。
【図５】背面センサで測定した照度と表示装置の最低輝度との関係を示す図である。
【図６】第２実施形態における表示装置のブロック図である。
【図７】第２実施形態の表示装置の画像表示までの処理の流れを示すフローチャートである。
【図８】第２実施形態の補正量を算出する処理の流れを示すフローチャートである。
【図９】第２実施形態におけるユーザの視野θを説明するための図である。
【発明を実施するための形態】
【００１４】
以下に図面を参照して本発明の実施形態を詳細に説明する。
【００１５】
（第１実施形態）
＜表示装置１０の全体構成＞
本実施形態における表示装置１０の全体構成について説明する。図１は本実施形態における表示装置１０のブロック図である。同図に示すように、表示装置１０は、表示部１、前面センサ２、背面センサ３、補正量算出手段４、および補正手段５を備える。表示部1は、画像信号に従って画像を表示する。また、本実施形態において表示部１は、輝度、コントラスト、および色味などの表示パラメータに従って表示を行う。図示しないが、本実施形態において表示部１は、液晶パネル、駆動回路、およびバックライトを備えて構成されている。駆動回路は液晶パネルの表示のための駆動を行う。
【００１６】
本実施形態においては、後述する補正手段５によって駆動回路が制御され、駆動回路が各画素に印加する電圧を変えて液晶分子の向きを変更することによって、液晶パネルの光の透過率を変える。また、本実施形態においては、後述する補正手段５によってバックライトを駆動するバックライト駆動回路が制御され、バックライト駆動回路が光源に流れる電流の量を変えてバックライトの輝度を調整する。
【００１７】
このように、本実施形態においては、液晶パネルの光の透過率およびバックライトの輝度の両方を調整することによって、表示部１のコントラストおよび輝度を調整する。
【００１８】
なお、本発明における表示部１のコントラストおよび輝度の調整方法は、上記の方法に限定されない。例えば、バックライト輝度を調整して表示部１の輝度を調整してもよいし、液晶パネルの光の透過率を調製することによってコントラストを調整してもよい。このように、本実施形態において、コントラストおよび輝度を調整する具体的な方法は特に限定されるものではない。
【００１９】
前面センサ（第１センサ）２は、表示装置１０において表示部１側の一部（前面）に配置されており、表示装置１０の前面における視環境の情報を検出する。本実施形態において前面センサ２は、表示装置１０の前面に入射する光などを検知して、表示装置１０の前面における光の照度を測定する。
【００２０】
背面センサ（第２センサ）３は、表示装置１０の前面の裏面側の一部（背面）に配置されており、表示装置１０の背面における視環境の情報を検出する。本実施形態において背面センサ３は、表示装置１０の背面へ入射する光などを検知して、表示装置１０の背面における光の照度などを測定する。
【００２１】
本実施形態において、前面センサ２および背面センサ３は、周囲の照度を測定する照度計によって構成されている。本実施形態に用いる照度計は、ｌｘ単位で照度を取得する。
【００２２】
補正量算出手段４は、前面センサ２および背面センサ３にて測定された照度を用いて、表示装置１０のコントラストを補正するためのコントラスト補正量や、表示装置１０の輝度を補正するための輝度補正量を算出する。各補正量を算出するまでの流れは図３を用いて後述する。
【００２３】
補正手段５は、補正量算出手段４で算出された補正量を用いて、表示部１にて画像を表示する際に、そのコントラストや輝度を補正する。実施形態においては、補正手段５が上述の駆動回路およびバックライト駆動回路をそれぞれ制御することによって補正を実行する。
【００２４】
なお、本実施形態においては、表示装置１０がバックライトを備える液晶表示装置である場合について説明するが、本発明はこの種の表示装置に限定されず、自発光素子を用いる有機ＥＬ表示装置などの他の表示装置にも適用することができる。また、本実施形態においては、例えば、テレビ、デスクトップ型コンピュータなど、使用の際に一定の場所に設置される機器に表示装置１０を適用する場合を例に挙げて説明する。しかしながら、表示装置１０は、例えば、携帯電話やデジタルカメラなど、使用の際にそれ自体が持ち運び可能である機器にも適用することができる。
【００２５】
＜表示装置１０に画像を表示するまでの処理フロー＞
図２は本実施形態における表示装置１０の表示部１に画像を表示するまでの処理の流れを示すフローチャートである。同図に示すように、補正量算出手段４は、前面センサ２にて測定された照度を取得し（Ｓ１）、背面センサ３にて測定された照度を取得する（Ｓ２）。そして、補正量算出手段４は、コントラスト補正量および輝度補正量を算出する（Ｓ３）。この各補正量を算出する処理の流れについては、図３を参照して後述する。この算出された補正量に応じて、補正手段５がコントラストや輝度を補正する（Ｓ４）。
【００２６】
本実施形態において表示部１の輝度は、補正量算出手段４にて算出した補正量に応じて、輝度を調整する（本実施形態においては輝度を上げる）ことによって補正される。また、本実施形態においてコントラストは、ＲＧＢの各チャンネルで１ＤＬＵＴ（１次元ルックアップテーブル）を保持し、補正量に応じて後述する図４に示すテーブルのうちの１つを選択して、１ＤＬＵＴを変化させることによって補正される。そして、補正されたパラメータを用いて、表示部１が画像表示する（Ｓ５）。
【００２７】
表示装置１０の前面にあたる光が多い場合、表示部１に表示される画像は光を受けて明るく白っぽくなり、ぼやけて認識される。そのため、前面センサ２にて測定された照度が高い場合は、コントラストを上げる補正をして画像をはっきりさせることが望ましい。また、表示装置１０の輝度よりも表示装置１０の周囲が明るい場合は、ユーザの眼が周囲の明るさに順応するため、表示部１に表示される画像はユーザに暗く認識される。そのため、表示装置１０の輝度よりも表示装置１０の周囲が明るい場合は、輝度を上げる補正をすることが望ましい。
【００２８】
＜補正量算出手段４の補正量算出フロー＞
本実施形態においては、前面センサ２および背面センサ３にて測定された照度に応じて各補正量を算出する。その際、前面センサ２にて測定された照度と背面センサ３にて測定された照度とを比較し、一方のセンサにて測定された照度が他方のセンサにて測定された照度による影響を打ち消す程度に高い場合、当該他方のセンサにて測定された結果に応じた補正は行わない。
【００２９】
このようにするために、前面センサ２にて測定された照度と背面センサ３にて測定された照度との差分を算出し、当該差分と設定した閾値とを比較する。本実施形態においては、閾値Ａ（第１閾値）および閾値Ｂ（第２閾値）を設定する。
【００３０】
閾値Ａは、前面センサ２で測定された照度よりも背面センサ３で測定された照度の方が高い場合、すなわち、前面センサ２で測定された照度から背面センサ３で測定された照度を引いた値が負の数となる視環境を想定していることから、負の値となる。閾値Ｂは、背面センサ３にて測定された照度よりも前面センサ２にて測定された照度の方が高い場合、すなわち、前面センサ２にて測定された照度から背面センサ３にて測定された照度を引いた値が正の数となる視環境を想定していることから、正の値となる。したがって、本実施形態においては、閾値Ａ＜閾値Ｂの関係となる。
【００３１】
図３は本実施形態におけるコントラスト補正量および輝度補正量を算出する処理の流れを示すフローチャートである。まず、輝度補正の際に表示部１の白輝度の値を用いるために、表示部１の全ての領域に白（８ビット表示の場合は表示するＲＧＢ値をすべて２５５に設定）を表示して、所定の測定器にて、その輝度（白輝度）の値を測定する。図３に示すように、補正量算出手段４は、この測定された表示部１の白輝度の値を取得する（Ｓ３１）。次に、補正量算出手段４は、前面センサ２にて測定された照度と、背面センサ３にて測定された照度との差分を算出する（Ｓ３２）。
【００３２】
補正量算出手段４は、Ｓ３２にて算出した値と閾値Ａとを比較し、Ｓ３２にて算出した値が閾値Ａ以下（第１閾値以下）かどうかを判定する（Ｓ３３）。Ｓ３２にて算出した値が、閾値Ａ以下である場合はＳ３５に進み、その値が閾値Ａを超える値である場合にはＳ３４に進む。
【００３３】
Ｓ３２にて算出した値が閾値Ａを越える値である場合（Ｓ３３にてＮＯの場合）、前面センサ２にて測定した照度に応じたコントラスト補正量を算出する（Ｓ３４）。Ｓ３２にて算出した値が閾値Ａ以下である場合（Ｓ３３にてＹＥＳの場合）、コントラスト補正量を０に設定する（Ｓ３５）。
【００３４】
ここで、コントラスト補正量の具体的な算出方法について図４を用いて説明する。図４はコントラスト補正量を算出する際に使用するテーブルの一例を示す図である。同図に示すグラフの横軸は補正前の表示装置１０の輝度（補正前輝度）を示し、縦軸は補正後の表示装置１０の輝度（補正後輝度）を示している。また、同図に示すテーブルａは補正量が多い場合、テーブルｂは補正量が比較的多い場合、テーブルｃは補正量が比較的少ない場合、テーブルｄは補正量が０である場合、のテーブルをそれぞれ示している。
【００３５】
図３を再び参照する。前面センサ２にて測定された照度よりも背面センサ３にて測定された照度の方が高い場合（Ｓ３３にてＹＥＳの場合）、現在設定されているコントラストは現在の視環境に適しているので、上述のように、コントラスト補正量を０に設定する（Ｓ３５）。具体的には、図４に示すテーブルｄを選択する。
【００３６】
背面センサ３にて測定された照度よりも前面センサ２にて測定された照度の方が高い場合（Ｓ３３にてＮＯの場合）、現在設定されているコントラストは現在の視環境に適していない。そこで、上述のように、前面センサ２にて測定した照度に応じてコントラスト補正量を算出する（Ｓ３４）。
【００３７】
表示装置１０の輝度よりも表示装置１０の前面に当たる光が強いほど、表示部１に表示される画像は、白っぽくボンヤリと認識される。そこで、前面センサ２にて測定された照度が高いほど、コントラスト補正量も多くしてメリハリのある画像を表示するように、前面センサ２にて測定された照度に応じてコントラスト補正量を算出する。
【００３８】
例えば、Ｓ３２にて算出した値が閾値Ａよりも大きい値である閾値Ｂと等しい場合は、図４に示すテーブルａを選択する。Ｓ３２にて算出した値が閾値Ａと閾値Ｂとの間の値である場合においては、補間法を用いてテーブル値を定める。
【００３９】
再度図３を参照する。補正量算出手段４は、Ｓ３２にて算出した値と閾値Ｂとを比較して、Ｓ３２にて算出した値が閾値Ｂ以上（第２閾値以上）かどうかを判定する（Ｓ３６）。Ｓ３２にて算出した値が、閾値Ｂ以上である場合（Ｓ３６にてＹＥＳの場合）はＳ３９に進み、その値が閾値Ｂ未満（第２閾値未満）である場合（Ｓ３６にてＮＯの場合）はＳ３７に進む。
【００４０】
補正量算出手段４は、Ｓ３２にて算出した値が閾値Ｂ未満である場合（Ｓ３６にてＮＯの場合）、背面センサ３にて測定した照度に応じた最低輝度を算出する（Ｓ３７）。
【００４１】
背面センサ３にて測定した照度に応じた表示装置１０の最低輝度は、例えば図５に示すグラフに従って算出する。図５は背面センサ３にて測定した照度と表示装置１０の最低輝度との関係を示す図である。同図に示すグラフの横軸は背面センサ３にて測定した照度を示しており、縦軸は表示装置１０の最低輝度を示している。同図に示すように、表示装置１０の最低輝度と背面センサ３にて測定した照度とは、表示装置１０の最低輝度が、所定値に達するまでは比例関係にある。より具体的には、背面センサ３にて測定した照度が高くなるほど、その照度に応じた表示装置１０の最低輝度は高くなる。
【００４２】
しかし、表示装置１０の最低輝度が所定値に達すると、背面センサ３にて測定した照度が高くなっていっても、最低輝度は一定の値となっている。この所定値は表示装置１０にて再現できる輝度の最大値（最大輝度）である。表示装置１０の最低輝度が最大輝度となると、それ以上輝度を上げる補正をすることができない。そのため、表示装置１０の最大輝度の値に補正限界を設定する。
【００４３】
再び図３を参照する。補正量算出手段４は、Ｓ３１にて取得した表示部１の白輝度の値と、Ｓ３７にて取得した最低輝度の値から、輝度補正量Ｂを算出する（Ｓ３８）。輝度補正量Ｂは、白輝度の値をＢｗ、最低輝度の値をＢｍｉｎとすると、以下の式（１）によって算出される。
Ｂ＝ｍａｘ（０、Ｂｍｉｎ−Ｂｗ）                ・・・式（１）
【００４４】
ただし、ｍａｘ（ａ，ｂ）はａとｂのうち大きい方の値をとることを表している。輝度補正量Ｂをこのように算出するのは、本実施形態において輝度補正は輝度を上げることによって行われるからである。つまり、本実施形態は、補正前の白輝度の値よりも背面センサ３にて測定した照度に応じた最低輝度の値の方が高い場合に輝度を上げることによって輝度補正が行われ、白輝度の値が最低輝度の値よりも高い値である場合、輝度補正は行わないからである。
【００４５】
Ｓ３２にて算出した値が閾値Ｂ以上である場合（Ｓ３６にてＹＥＳの場合）、すなわち、背面センサ３にて測定した照度よりも前面センサ２にて測定した照度の方が高い場合、現在設定されている輝度は現在の視環境に適している。そこで、補正量算出手段４は、輝度補正量を０に設定する（Ｓ３９）。以上の処理によって、コントラスト補正量および輝度補正量が算出される。
【００４６】
なお、上記の説明においては、図４に示すテーブルを選択することによってコントラストを補正する方法について説明したが、コントラストを補正する方法はこの方法に限定されるものではない。例えば以下の式（２）であらわされるようなガンマ補正でもよい。以下の式（２）において、Ｂａｆｔｅｒは補正後の値、Ｂｂｅｆｏｒｅは補正前の値、γは１以上の実数である。また、＾は指数を表す。
Ｂａｆｔｅｒ ＝（ Ｂｂｅｆｏｒｅ ）＾ γ                  ・・・式（２）
【００４７】
さらに、本実施形態においては、上記の方法によって輝度を補正する方法について説明したが、この方法以外の方法によって輝度を補正してもよい。例えば以下の式（３）であらわされるようなゲイン演算でもよい。以下の式（３）において、Ｂａｆｔｅｒは補正後の値、Ｂｂｅｆｏｒｅは補正前の値、ｋは１以上の実数である。
Ｂａｆｔｅｒ ＝ ｋ × Ｂｂｅｆｏｒｅ                    ・・・式（３）
【００４８】
＜本実施形態の効果＞
以上説明したように、本実施形態においては、表示装置１０の前面および背面に、それぞれ異なる方向から入射する光を測定する照度センサである前面センサ２および背面センサ３を備える。そうすることによって、表示装置１０の前面と背面とが異なる光環境にある場合においても、それぞれの環境を考慮して、ユーザの視環境に適するようにコントラストや輝度を補正することができる。したがって、本実施形態においては、ユーザの視環境に適したコントラストや輝度によって画像を表示することができる。
【００４９】
（第２実施形態）
本実施形態は、第１実施形態の構成に加えて、さらに人物距離センサを備える。その他の構成は第１実施形態と同様であるので、その説明を省略する。
【００５０】
＜表示装置１０ａの全体構成＞
図６は本実施形態における表示装置１０ａのブロック図である。同図に示すように、表示装置１０ａは、第１実施形態の構成に加えて、人物距離センサ（第３センサ）６をさらに備える。人物距離センサ６は、表示装置１０ａと、表示装置１０ａの表示部１に表示される画像や映像を観察しているユーザと、の間の距離を算出する。人物距離センサ６は、前面センサ２と同様に、表示装置１０ａの前面側に配置されている。
【００５１】
人物距離センサ６は、発光素子、発光レンズ、受光レンズ、および受光素子などから構成される。発光素子から投光された光は、反射物であるユーザに反射し、この反射光は受光部レンズを通して受光素子上の１点に入射する。この受光素子上の光の入射位置は、反射物までの距離に応じて変化するため、受光素子上の光の入射位置を検出することにより反射物までの距離を検出する。
【００５２】
なお、本実施形態においては、人物距離センサ６として上述の三角法を用いるセンサを使用する場合について説明するが、本実施形態においては他の方式のセンサを用いることもできる。例えば、発光素子からの光が、ユーザにて反射して、この反射光が受光素子へ入射するまでの時間から距離を測定する方式のセンサを用いてもよい。
【００５３】
本実施形態においては、人物距離センサ６を用いることによって、表示装置１０ａとユーザとの間の距離を測定する。これは、表示装置１０ａの背面方向から表示部１を観察しているユーザの方向へ光が入射する場合であっても、その光がユーザの視環境に与える影響が少ない場合があるからである。具体的には、表示装置１０ａとユーザとの間の距離がある距離以下である場合、背面方向から入射する光が表示装置１０ａによって遮られてユーザには届かず、その光によってユーザの視環境に与えられる影響は少ないと考えられる。
【００５４】
詳細は図８を用いて後述するが、このような場合、背面側の照度を考慮する必要性は比較的低いので、背面センサ３にて測定された照度の結果は補正量の算出に用いない。表示装置１０ａとユーザとの間の距離の閾値の設定方法については、図９を用いて後述する。
【００５５】
＜表示装置１０ａに画像を表示するまでの処理フロー＞
図７は本実施形態における表示装置１０ａの表示部１に画像を表示するまでの処理の流れを示すフローチャートである。同図に示すＳ１０１およびＳ１０２は図２に示すＳ１およびＳ２と同じ処理であるのでその説明を省略する。
【００５６】
図７に示すように、本実施形態においては、図２に示す第１実施形態の背面センサ３で測定した照度を取得するステップ（Ｓ２）と補正量を算出するステップ（Ｓ３）との間で、補正量算出手段４が人物距離センサ６にて測定された距離を取得する（Ｓ１０３）。そして、図８を用いて後述する補正量の算出が、補正量算出手段４にて行われる（Ｓ１０４）。Ｓ１０５およびＳ１０６は図２のＳ４およびＳ５と同様の処理であるので、その説明を省略する。
【００５７】
＜補正量算出手段４の補正量算出フロー＞
図８は本実施形態におけるコントラスト補正量および輝度補正量を算出する処理の流れを示すフローチャートである。同図に示すように、まず、人物距離センサ６にて測定された表示装置１０ａとユーザとの間の距離が閾値Ｃ以下（第３閾値以下）であるか否かが判定される（Ｓ４１）。上述のように、表示装置１０ａとユーザとの間の距離がある閾値以下である場合は、背面方向からユーザの方向へ向う光は、表示装置１０ａによって遮られ、背面からの光がユーザの視環境に与える影響はほとんどなくなるものと考えられる。
【００５８】
そこで、本実施形態においては、背面からユーザの方へ向う光が表示装置１０ａに遮られ、ユーザの視環境に影響しない、表示装置１０ａとユーザとの間の距離を閾値Ｃと設定する。表示装置１０ａとユーザとの間の距離が閾値Ｃ以下である場合、背面センサの測定結果を補正量の算出に使用しない。
【００５９】
表示装置１０ａとユーザとの間の距離が閾値Ｃ以下である場合はＳ４２に進み、その距離が閾値Ｃを超える距離である場合はＳ４４に進む。
【００６０】
図８に示すように、人物距離センサ６にて取得した距離が閾値Ｃ以下である場合（Ｓ４１にてＹＥＳの場合）、上述のように背面方向からの光がユーザの視環境に与える影響はほとんどないと考えられるので、背面の環境は考慮しない。したがって、Ｓ４１にて取得した距離が閾値Ｃ以下である場合、前面センサ２の照度と背面センサ３の照度とを比較せずに、前面センサ２にて測定した照度に応じたコントラスト補正量を算出し（Ｓ４２）、輝度補正量を０に設定する（Ｓ４３）。そして、補正量の算出を終了する。
【００６１】
人物距離センサ６にて取得した距離が閾値Ｃを越える距離である場合（Ｓ４１にてＮＯの場合）における各補正量を算出する処理の流れ（図８におけるＳ４４〜Ｓ５２）は、第１実施形態の図３のＳ３１〜Ｓ３９と同じ処理であるので、その説明を省略する。
【００６２】
ここで、上記閾値Ｃの設定方法の一例を、図９を用いて説明する。図９は第２実施形態におけるユーザの視野θを説明するための図である。同図においては、表示装置１０の高さをｈ、人物距離センサ６にて算出された表示装置１０ａとユーザとの間の距離をｄ、ユーザの視野をθ、正接の逆三角関数をａｔａｎとする。そうすると、視野θは以下の式（４）によって算出される。
θ＝２ｘａｔａｎ（ｈ／２ｄ）                    ・・・式（４）
【００６３】
このとき、例えばθ＝π／４となるような距離を算出して、この距離を閾値Ｃとして用いることが望ましい。
【００６４】
＜本実施形態の効果＞
以上説明したように、本実施形態においては、第１実施形態の構成に加え、人物距離センサ６を備えることによって、表示装置１０ａとユーザとの間の距離を測定する。この測定した距離に応じて、表示装置１０ａの背面方向からユーザのいる方向へ向う光が表示装置１０ａによって遮られる場合は、背面センサ３を用いることなく、前面センサ２のみを用いる。他方、表示装置１０ａの背面方向からユーザのいる方向へ向う光が表示装置１０ａによって遮られない場合は、第１実施形態と同様に、前面センサ２および背面センサ３の両方を用いることによって、コントラストや輝度を補正する。
【００６５】
本実施形態においては、前面センサ２よりも背面センサ３の照度の方が高く、第１実施形態の構成では輝度を上げる補正をすべき状態でも、表示装置１０ａとユーザとの距離を考慮することによって、視環境により適したコントラストや輝度にすることができる。
【００６６】
（他の実施形態）
第１実施形態および第２実施形態においては、輝度およびコントラストを補正することによって、視環境に適した表示を行う構成について説明した。しかし、補正対象は輝度やコントラストのみに限られず、例えば特許文献１のように表示部１に表示する画像の色を補正対象としてもよい。この場合においても、上記実施形態と同様に、前面センサおよび背面センサにて検出した視環境に応じて補正を行うことにより、視環境に適した表示を行うことができる。
【００６７】
なお、本発明には、表示部１、前面センサ２、および背面センサ３を用意し、コントラストおよび輝度を補正する表示装置の表示方法も含まれる。また、上記実施形態の動作を行う手段として機能するコンピュータプログラムも本発明に含まれる。
【符号の説明】
【００６８】
１    表示部
２    前面センサ（第１センサ）
３    背面センサ（第２センサ）
５    補正手段
１０  表示装置
【図１】
2014202941.tif 000003
【図２】
2014202941.tif 000004
【図３】
2014202941.tif 000005
【図４】
2014202941.tif 000006
【図５】
2014202941.tif 000007
【図６】
2014202941.tif 000008
【図７】
2014202941.tif 000009
【図８】
2014202941.tif 000010
【図９】
2014202941.tif 000011